(57)【要約】【課題】蒸発器に流入する冷媒流量を第１の可変絞りの絞り開度によって調整しきれなくなったとしても、蒸発器への冷媒流量を適切量に制限することができる蒸気圧縮式冷凍サイクルを提供すること。【解決手段】ステップ１００では、温度センサ９１及び圧力センサ９２からの検出信号に基づいて第２の蒸発器５２出口における冷媒の過熱度ＳＨを算出し、算出した過熱度ＳＨが所定の過熱度ＳＨＴｈ以下であるか否かを判断する。ここでいう所定の過熱度ＳＨＴｈとは、第１の可変絞り機構４０により調整し得る最小の絞り開度（最小冷媒流量）に対応した過熱度のことである。ステップ１００で肯定判定された場合には、ステップＳ１１０に進んで電磁弁８１を閉じるための制御信号（閉信号）を当該電磁弁８１に送信する。一方、ステップ１００で否定判定された場合には、ステップＳ１２０に進んで電磁弁８１を開くための制御信号（開信号）を当該電磁弁８１に送信する。【選択図】図２
2008064327.tif 000002
【特許請求の範囲】
【請求項１】
冷媒を吸入圧縮して吐出する圧縮機と、
前記圧縮機から吐出された冷媒の放熱を行なう放熱器と、
前記放熱器から２系統に分岐流出した冷媒のうち、一方側に分岐流出した冷媒を減圧して流量を調整する減圧手段と、
前記減圧手段で減圧された冷媒を蒸発させる第１の蒸発器と、
前記放熱器から２系統に分岐流出した冷媒のうち、他方側に分岐流出した冷媒の圧力エネルギーを速度エネルギーに変換して冷媒を減圧膨張させるノズル部、前記ノズル部から噴射する冷媒流により前記第１の蒸発器を流出した冷媒が内部に吸引される冷媒吸引口、および前記ノズル部から噴射する冷媒と前記冷媒吸引口から吸引した冷媒とを混合させながら速度エネルギーを圧力エネルギーに変換して冷媒の圧力を昇圧させる昇圧部を有するエジェクタと、
前記エジェクタから流出した冷媒を蒸発させ、蒸発した冷媒を前記圧縮機に吸入させる第２の蒸発器と、を備えた蒸気圧縮式冷凍サイクルであって、
前記放熱器を流出し前記２系統に分岐流出する前の冷媒の冷媒流量を、前記第２の蒸発器を流出する冷媒の過熱度に基づいて調整する冷媒流量調整手段と、
前記過熱度が、前記冷媒流量調整手段が調整し得る最小冷媒流量に対応する過熱度を下回ったときには、前記他方側に分岐流出した冷媒の前記ノズル部への流入を規制する冷媒流入規制手段を備えたことを特徴とする蒸気圧縮式冷凍サイクル。
【請求項２】
前記冷媒流入規制手段は、
前記過熱度が、前記冷媒流量調整手段が調整し得る最小冷媒流量に対応する過熱度を上回ったときには、前記他方側に分岐流出した冷媒の前記ノズル部への流入規制を解除することを特徴とする請求項１に記載の蒸気圧縮式冷凍サイクル。
【請求項３】
前記冷媒流入規制手段は、可変絞り手段を備えて構成されていることを特徴とする請求項１または請求項２に記載の蒸気圧縮式冷凍サイクル。
【発明の詳細な説明】
【技術分野】
【０００１】
本発明は、エジェクタを備えた蒸気圧縮式冷凍サイクルに関する。
【背景技術】
【０００２】
この種の蒸気圧縮式冷凍サイクルとしては、例えば特許文献１に記載されているものが知られている。これは、共通の放熱器を流出した冷媒を２系統に分岐し、一方側に分岐した冷媒をエジェクタ吸引側蒸発器（第１の蒸発器）に流入させて蒸発させた後、エジェクタの冷媒吸引口に吸引させるとともに、他方側に分岐した冷媒をエジェクタのノズル部に流入させ、このエジェクタから流出した冷媒がエジェクタ下流側蒸発器（第２の蒸発器）にて蒸発されるようになっている。
【特許文献１】特開２００５−３０８３８４号公報
【発明の開示】
【発明が解決しようとする課題】
【０００３】
上記特許文献１に対して、ノズル部及び冷媒吸引口に流入する冷媒流量については、放熱器の冷媒流れ下流側に温度膨張弁を有する第１の可変絞り（冷媒流量調整手段）を配置し、エジェクタ下流側蒸発器出口における冷媒の過熱度に基づいて最適な絞り開度に調整されるようにすることが考えられている。このようにすれば、例えば両蒸発器に着霜することによって空気側能力が低下し、エジェクタ下流側蒸発器出口の過熱度が低下したとしても、この過熱度の低下に従って第１の可変絞りの絞り開度が減少調整されて適切な冷媒流量に維持される。
【０００４】
ところで、上記の第１の可変絞りの絞り開度は、サイクル中の冷媒循環を維持する必要性からゼロとならないような構造とされている。従って、エジェクタ下流側蒸発器出口の冷媒の過熱度が、第１の可変絞りの絞り開度によって調整し得る最小冷媒流量に対応した過熱度を下回った場合には、蒸発器内に過剰に冷媒が流入し、流入した冷媒をすべて蒸発させることができなくなる。これによって圧縮機への液戻りが発生し、さらには、着霜状態が持続することによる熱交換不良が発生する。
【０００５】
本発明は、上記事情に鑑みてなされたものであり、その目的は、蒸発器に流入する冷媒流量を第１の可変絞りの絞り開度によって調整しきれなくなったとしても、蒸発器への冷媒流量を適切量に制限することができる蒸気圧縮式冷凍サイクルを提供することである。
【課題を解決するための手段】
【０００６】
上記目的を達成するために、請求項１の発明では、冷媒を吸入圧縮して吐出する圧縮機と、圧縮機から吐出された冷媒の放熱を行なう放熱器と、放熱器から２系統に分岐流出した冷媒のうち、一方側に分岐流出した冷媒を減圧して流量を調整する減圧手段と、減圧手段で減圧された冷媒を蒸発させる第１の蒸発器と、放熱器から２系統に分岐流出した冷媒のうち、他方側に分岐流出した冷媒の圧力エネルギーを速度エネルギーに変換して冷媒を減圧膨張させるノズル部、ノズル部から噴射する冷媒流により第１の蒸発器を流出した冷媒が内部に吸引される冷媒吸引口、およびノズル部から噴射する冷媒と冷媒吸引口から吸引した冷媒とを混合させながら速度エネルギーを圧力エネルギーに変換して冷媒の圧力を昇圧させる昇圧部を有するエジェクタと、エジェクタから流出した冷媒を蒸発させ、蒸発した冷媒を圧縮機に吸入させる第２の蒸発器と、を備えた蒸気圧縮式冷凍サイクルであって、放熱器を流出し２系統に分岐流出する前の冷媒の冷媒流量を、第２の蒸発器を流出する冷媒の過熱度に基づいて調整する冷媒流量調整手段と、過熱度が、冷媒流量調整手段が調整し得る最小冷媒流量に対応する過熱度を下回ったときには、他方側に分岐流出した冷媒のノズル部への流入を規制する冷媒流入規制手段を備えたことを特徴としている。
【０００７】
請求項１の発明では、第２の蒸発器を流出した冷媒の過熱度が、冷媒流量調整手段により調整し得る最小冷媒流量に対応する過熱度を下回ったときには、冷媒流入規制手段によって他方側に分岐流出した冷媒のノズル部への流入を規制する。これにより、放熱器を流出した冷媒のうち、第１の蒸発器への冷媒流入のみが許容される。そして、第１の蒸発器に流入した冷媒は、当該第１の蒸発器で蒸発し、エジェクタを通過してさらに第２の蒸発器でも蒸発するため、蒸発器内に流入した冷媒を確実に蒸発させることができる。従って、蒸発器に流入する冷媒流量が冷媒流量調整手段によって冷媒流量を調整しきれなくなったとしても、蒸発器への冷媒流量を適切量に制限することができる。これにより、蒸発器内で冷媒を蒸発しきれないという不具合が解消され、圧縮機への液戻りや着霜状態が持続するという問題を防止できる。
【０００８】
請求項２の発明では、冷媒流入規制手段は、過熱度が、冷媒流量調整手段が調整し得る最小冷媒流量に対応する過熱度を上回ったときには、他方側に分岐流出した冷媒のノズル部への流入規制を解除することを特徴としている。
【０００９】
過熱度が、冷媒流量調整手段が調整し得る最小冷媒流量に対応する過熱度を上回ったときには、冷媒流量調整手段の冷媒流量調整により最小冷媒流量にした状態でも蒸発器で冷媒を確実に蒸発させることができる状態であり、且つ、過熱度の上昇に応じて冷媒流量を増大することが必要になり得る状態である。従って、この場合には、冷媒流入規制手段により他方側に分岐流出する冷媒のノズル部への流入規制を解除することで、第２の蒸発器を流出した冷媒の過熱度に応じて冷媒流量調整手段により流量調整された冷媒を第１及び第２の蒸発器に流入させて、各蒸発器で適切に熱交換させることができる。
【００１０】
請求項３の発明では、冷媒流入規制手段は、可変絞り手段を備えて構成されていることを特徴としている。
【００１１】
このように構成すれば、絞り開度をゼロとすれば他方側に分岐流出する冷媒のノズル部への流入を規制でき、かつ、絞り開度を所定開度とすれば、他方側に分岐流出する冷媒のノズル部への流入規制を解除することができる。
【発明を実施するための最良の形態】
【００１２】
＜第１の実施形態＞
本発明に係る蒸気圧縮式の冷凍サイクルを冷凍車用の冷凍サイクル装置に適用した例を示す。本実施形態の冷凍サイクル１の全体構成を図１に示す。圧縮機１０は、吐出容量の変化により冷媒吐出能力を調整できる可変容量型圧縮機、あるいは電動モータの回転数調整により冷媒吐出能力を調整できる電動圧縮機により構成されており、吸入した冷媒を圧縮し、高圧冷媒として吐出する。
【００１３】
また、圧縮機１０には、オイルセパレータ１１が並列接続されており、圧縮機１０から吐出された高圧冷媒に含まれる潤滑用オイルを回収し、固定絞り１２を介して再び圧縮機１０に吸入させるようになっている。
【００１４】
圧縮機１０の冷媒吐出側には放熱器２０が配置されている。この放熱器２０は圧縮機１０から吐出された高圧冷媒とコンデンサファン（図示せず）により送風される外気（庫外空気）との間で熱交換を行って高圧冷媒を冷却する。
【００１５】
ここで、冷凍サイクル１の冷媒として、通常のフロン系冷媒を用いる場合は、高圧圧力が臨界圧力を超えない亜臨界サイクルとなるので、放熱器２０は冷媒を凝縮する凝縮器として作用する。一方、冷媒として二酸化炭素（ＣＯ2）のように高圧圧力が臨界圧力を超える冷媒を用いる場合は冷凍サイクル１が超臨界サイクルとなるので、冷媒は超臨界状態のまま放熱し凝縮しない。
【００１６】
放熱器２０よりも冷媒流れ下流側部位には、レシーバ３０が配置されており、放熱器２０を流出した冷媒を気相冷媒と液相冷媒とに分離し、気相冷媒を放熱器２０に戻すとともに、液相冷媒を外部に流出させるようになっている。
【００１７】
レシーバ３０よりも冷媒流れ下流側部位には、第１の可変絞り機構４０（冷媒流量調整手段）が配置されている。この第１の可変絞り機構４０は、具体的には、周知の温度式膨張弁であり、レシーバ３０からの高圧液相冷媒を気液二相状態の中間圧力冷媒に減圧する機能を果たす。この温度式膨張弁は、後述する第２の蒸発器５２出口の冷媒の過熱度ＳＨに応じて弁体部の開度を調整し、これによって第１の可変絞り機構４０を通過する冷媒流量を調整して第２の蒸発器５２出口の冷媒の過熱度ＳＨが所定の値に近づくようにしている。
【００１８】
温度式膨張弁の弁体にはダイヤフラム機構４０ａが結合されており、ダイヤフラム機構４０ａは感温筒４０ｂの封入ガラス媒体の圧力（第２の蒸発器５２出口の冷媒の温度に応じた圧力）と、均圧管４０ｃにより導入される第２の蒸発器５２出口の冷媒の圧力とに応じて弁体を変位させ、弁体の開度を調整する。
【００１９】
第１の可変絞り機構４０の冷媒流れ下流側は分岐点Ｐｄを境に２系統に分岐されており、一方側に分岐流出する冷媒は当該分岐点Ｐｄよりも冷媒流れ下流側部位に配置された第１の蒸発器５１に流入し、他方側に分岐流出する冷媒は当該分岐点Ｐｄよりも冷媒流れ下流側部位に配置されたエジェクタ６０のノズル部６１に流入するようになっている。
【００２０】
分岐点Ｐｄと第１の蒸発器５１との間には、冷媒を減圧膨張させる固定絞り機構７０（減圧手段）が配置されており、例えば、オリフィスのような固定絞りで構成されている。この固定絞り機構７０の絞り開度は一定に設定されており、設定された絞り開度によって第１の蒸発器５１へ流入する冷媒の冷媒流量とエジェクタ６０のノズル部６１へ流入する冷媒の冷媒流量の流量比が決定されている。
【００２１】
固定絞り機構７０よりも冷媒流れ下流側部位に配置された第１の蒸発器５１は、当該固定絞り機構７０により減圧膨張された冷媒を外気と熱交換することにより気相冷媒に蒸発させて、後述するエジェクタ６０の冷媒吸引口６２に吸引させるようになっている。
【００２２】
また、分岐点Ｐｄよりも冷媒流れ下流側部位には、エジェクタ６０が配置されている。このエジェクタ６０は冷媒を減圧する減圧手段であるとともに、高速で噴出する冷媒流の吸引作用（巻き込み作用）によって冷媒の循環を行なう冷媒循環手段（運動量輸送式ポンプ）でもある（ＪＩＳ  Ｚ  ８１２６  番号２．１．２．３等参照）。
【００２３】
エジェクタ６０には、分岐点Ｐｄから他方側に分岐流出した冷媒の通路面積を小さく絞って、当該冷媒を等エントロピ的に減圧膨張させるノズル部６１と、ノズル部６１の冷媒噴出口と同一空間に配置され、第１の蒸発器５１を流出した気相冷媒を吸引する冷媒吸引口６２が備えられている。
【００２４】
ノズル部６１および冷媒吸引口６２の冷媒流れ下流側部位には、ノズル部６１からの高速度の冷媒流と冷媒吸引口６２の吸引冷媒とを混合する混合部６３が設けられている。そして、混合部６３の冷媒流れ下流側にディフューザ部６４が配置されている。このディフューザ部６４は冷媒の通路面積を徐々に大きくする形状に形成されており、冷媒流れを減速して冷媒圧力を上昇させる作用、つまり、冷媒の速度エネルギーを圧力エネルギーに変換する作用を果たす。
【００２５】
なお、本実施形態のエジェクタ６０では、混合部６３も冷媒の通路面積を徐々に大き
くする形状に形成されており、混合部６３とディフューザ部６４とからなる構成が本実施形態のエジェクタ６０における昇圧部である。
【００２６】
エジェクタ６０のディフューザ部６４の下流側には、第２の蒸発器５２が接続されている。この第２の蒸発器５２では、エジェクタ６０のノズル部６１に流入した冷媒及び冷媒吸引口６２に流入した冷媒が外気と熱交換されて気相冷媒に蒸発する。また、第２の蒸発器５２出口は圧縮機１０に接続されており、当該第２の蒸発器５２を流出した冷媒が圧縮機１０に吸引されるようになっている。
【００２７】
本実施形態では、２つの蒸発器５１，５２を一体構造に組み付けて、２つの蒸発器５１，５２を１つのケース内に収納するようになっている。そして、ケース内に構成される空気通路に共通のブロワ（電動送風機）により空気（被冷却空気）を矢印Ａのごとく送風し、この送風空気を２つの蒸発器５１，５２で冷却するようなっている。そして、２つの蒸発器５１，５２で冷却された冷風を共通の冷却対象空間である冷凍庫４０に送り込み、これにより、２つの蒸発器５１，５２にて冷凍庫４０を冷却するようになっている。
【００２８】
ここで、２つの蒸発器５１，５２のうち、エジェクタ６０下流側に配設される第２の蒸発器５２を空気流れＡの上流側に配置し、エジェクタ６０の冷媒吸引口６２に接続される第１の蒸発器５１を空気流れＡの下流側に配置している。
【００２９】
また、分岐点Ｐｄとエジェクタ６０のノズル部６１との間には、第２の可変絞り機構８０（冷媒流入規制手段、可変絞り手段）が配置されている。この第２の可変絞り機構８０は、例えば電磁弁８１により構成されており、後述する制御装置１００からの制御信号に基づいて弁体の開度を所定開度（例えば１００％）とゼロ開度とに開閉切替するものである。従って、電磁弁８１が開かれて所定開度になっているときには、分岐点Ｐｄから他方側に分岐流出した冷媒のノズル部６１への流入が許容される一方、電磁弁８１が閉じられてゼロ開度となっているときには、ノズル部６１への冷媒流入が規制される。
【００３０】
第２の蒸発器５２出口付近には、この第２の蒸発器５２を流出した冷媒の温度および圧力を検出するための温度センサ９１及び圧力センサ９２が配置されている。各センサ９１，９２は、検出値に応じた検出信号を後述する制御装置１００に出力するようになっている。
【００３１】
制御装置１００は、冷凍庫４０内の温度（内気温度）を検出する内気温センサからの温度情報や、図示しない操作パネルに設けられた冷凍庫４０内の温度を設定する温度設定手段からの設定温度情報等の入力情報に基づいて、圧縮機１０、ブロワ、コンデンサファン等を作動制御するようになっている。また、温度センサ９１及び圧力センサ９２からの検出信号に基づいて第２蒸発器５２出口における冷媒の過熱度ＳＨを算出し、算出した過熱度ＳＨに基づいて電磁弁８１を開閉切替する。
【００３２】
以下、算出した過熱度ＳＨに基づく電磁弁８１の開閉切替制御について図２を参照して説明する。
【００３３】
ステップ１００では、温度センサ９１及び圧力センサ９２からの検出信号に基づいて第２の蒸発器５２出口における冷媒の過熱度ＳＨを算出し、算出した過熱度ＳＨが所定の過熱度ＳＨＴｈ以下であるか否かを判断する。ここでいう所定の過熱度ＳＨＴｈとは、第１の可変絞り機構４０により調整し得る最小の絞り開度（最小冷媒流量）に対応した過熱度のことである。
【００３４】
当該ステップ１００で肯定判定された場合には、第１の可変絞り機構４０の絞り開度を最小としたとしても、第１及び第２蒸発器５１，５２に流入する冷媒流量を適切な流量にまで減少させることができない状態、即ち、第１及び第２蒸発器５１，５２で可能とされる熱交換量に対して過剰に冷媒が流入している状態となっている。このため、ステップＳ１１０に進んで電磁弁８１を閉じるための制御信号（閉信号）を当該電磁弁８１に送信する。
【００３５】
一方、ステップ１００で否定判定された場合には、第１の可変絞り機構４０の絞り開度調整のみで第１及び第２の蒸発器５１，５２に流入させる冷媒流量を調整することができる状態であり、この場合には、ステップＳ１２０に進んで電磁弁８１を開くための制御信号（開信号）を当該電磁弁８１に送信する。
【００３６】
以下、電磁弁の開閉切替制御による冷凍サイクルの動作について説明する。
【００３７】
１．「第２の蒸発器出口の過熱度ＳＨが所定の過熱度ＳＨＴｈを下回った場合」
例えば、第１及び第２の蒸発器５１，５２に霜が付着することにより空気側能力が低下した場合、第２の蒸発器５２出口における冷媒の過熱度ＳＨが低下する。第１の可変絞り機構４０の絞り開度はこの過熱度ＳＨの低下に合わせて閉方向側に調整され、その絞り開度が減少することで各蒸発器５１，５２に流入する冷媒流量が減少する。着霜状態が持続して空気側能力が低下したままの状態となっていると、第１の可変絞り機構４０の絞り開度を最小にして各蒸発器５１，５２に流入する冷媒流量を最小冷媒流量にしたとしても、依然として、各蒸発器５１，５２では流入した冷媒を蒸発できるだけの熱交換量を確保することができないことがある。そうすると、各蒸発器５１，５２では、流入した冷媒をすべて蒸発させることができなくなり、一部の冷媒が液相冷媒のまま第２の蒸発器５２を流出し、圧縮機１０に液相冷媒が液戻りして圧縮機１０で液圧縮されることがある。また、空気側能力が低下していると、各蒸発器５１，５２での熱交換量が確保できなくなり、冷凍庫４０へ供給する冷風の温度を下げることができなくなり、冷凍庫４０内の温度が上昇することとなる。
【００３８】
この場合、制御装置１００は、図２のフローチャートに基づいて、第２の蒸発器５２出口の過熱度ＳＨが所定の過熱度ＳＨＴｈを下回ったと判断し（ステップＳ１００でＹｅｓ）、電磁弁８１に対して閉信号を送信し、当該電磁弁８１を閉じる（ステップＳ１１０）。
【００３９】
これにより、エジェクタ６０のノズル部６１への冷媒流入が規制され、第１の可変絞り機構４０を通過した冷媒のうち、一方側に分岐流出した冷媒のみが第１及び第２の蒸発器５１，５２を通過することができる。従って、第２の蒸発器５２に流入する冷媒流量は、エジェクタ６０のノズル部６１に流入していた冷媒の冷媒流量分減少することとなる。
【００４０】
そうすると、第１の可変絞り機構４０を通過した冷媒のうち一方側に分岐流出した冷媒は、第１の蒸発器５１に流入して熱交換された後、エジェクタ６０の冷媒吸引口６２からエジェクタ６０の内部に流入し、ディフューザ部６４から第２の蒸発器５２へ流出する。そして、第２の蒸発器５２でさらに熱交換されて圧縮機１０に吸引される。
【００４１】
ここで、電磁弁８１が閉じられているときには、エジェクタ６０は第１の蒸発器５１と第２の蒸発器５２を繋ぐ配管として機能するため、当該冷凍サイクル１は図３に示すように、いわゆるエキパンサイクルとして動作する。
【００４２】
従って、過熱度ＳＨが所定の過熱度ＳＨＴｈを下回ることで第１の可変絞り機構４０による冷媒流量の調整ができなくなったとしても、電磁弁８１を閉じることで、エジェクタ６０のノズル部６１への冷媒流入を規制し、第２の蒸発器５２に流入する冷媒の冷媒流量を低下させて、冷媒を確実に蒸発させることができる。また、第２の蒸発器５２に冷媒が過剰に流入することがなくなるため、付着した霜が早期に取り除かれる。
【００４３】
２．「第２の蒸発器出口の過熱度が所定の過熱度よりも高くなった場合」
上述のように、電磁弁８１を閉じて冷媒流量を制限したことにより、付着した霜が取り除かれて空気側能力が向上した場合には、第２の蒸発器５２出口における冷媒の過熱度ＳＨが上昇する。この過熱度ＳＨが所定の過熱度ＳＨＴｈを上回ったときには、第１の可変絞り機構４０の絞り開度を最小にして最小冷媒流量にした状態でも各蒸発器５１，５２で冷媒を確実に蒸発させることができる状態であり、且つ、過熱度ＳＨの上昇に応じて冷媒流量を増大することが必要になり得る状態である。
【００４４】
この場合、制御装置１００は、図２のフローチャートに基づいて、第２の蒸発器５２出口の過熱度ＳＨが所定の過熱度ＳＨＴｈを上回ったと判断し（ステップＳ１００でＹｅｓ）、電磁弁８１に対して開信号を送信し、当該電磁弁８１を開く（ステップＳ１２０）。
【００４５】
これにより、エジェクタ６０のノズル部６１への冷媒の流入規制が解除されることにより、当該冷凍サイクル１はエジェクタサイクルとして動作し、各蒸発器５１，５２へ流入する冷媒流量は過熱度ＳＨに応じた適切な冷媒流量に調整される。
【００４６】
以上のように、本実施形態によれば、第２の蒸発器５２を流出した冷媒の過熱度ＳＨが、所定の過熱度ＳＨＴｈを下回ったときには、電磁弁８１を閉じてエジェクタ６０のノズル部６１への冷媒流入を規制するようにしている。これにより、第２の蒸発器５１に流入する冷媒は、第１の蒸発器５２に流入する冷媒のみに制限されるから、流入した冷媒を確実に蒸発させることができる。従って、各蒸発器５１，５２に流入する冷媒流量を第１の可変絞り機構４０の絞り開度によって調整しきれなくなったとしても、蒸発器５１，５２への冷媒流量を確実に蒸発できる量に制限できる。これにより、蒸発器５１，５２内で冷媒を蒸発しきれないという不具合が解消され、圧縮機１０への液戻りや、着霜状態が持続することによる冷凍庫４０内の温度上昇を防止できる。
【００４７】
また、第２の蒸発器５２出口における冷媒の過熱度ＳＨが、所定の過熱度ＳＨＴｈを上回ったときには、電磁弁８１を開いてエジェクタ６０のノズル部６１への冷媒流入規制を解除することで、過熱度ＳＨに応じた適切な冷媒流量を各蒸発器５１，５２に供給することができる。
【００４８】
第２の可変絞り機構８０を電磁弁８１により構成しているため、開閉切替制御により、エジェクタ６０の冷媒流入の規制・解除を容易に切換えることができる。また、第２の可変絞り機構８０としては、電磁弁８１のほかに開閉切替可能なバルブにより構成することもできる。
【図面の簡単な説明】
【００４９】
【図１】本実施形態に係る蒸気圧縮式冷凍サイクルの模式構成図である。
【図２】電磁弁のオン・オフ切替制御の内容を示したフローチャートである。
【図３】電磁弁がオフされているときの冷凍サイクルの動作を示した作動図である。
【符号の説明】
【００５０】
１０…圧縮機
２０…放熱器
４０…第１の可変絞り機構（冷媒流量調整手段）
５１…第１の蒸発器
５２…第２の蒸発器
６０…エジェクタ
６１…ノズル部
６２…冷媒吸引口
６３…混合部（昇圧部）
６４…ディフューザ部（昇圧部）
７０…固定絞り機構
８０…第２の可変絞り機構（冷媒流入規制手段、可変絞り手段）
８１…電磁弁（冷媒流入規制手段、可変絞り手段）
【図１】
2008064327.tif 000003
【図２】
2008064327.tif 000004
【図３】
2008064327.tif 000005